(57)【要約】【課題】消臭、除湿具を靴のつま先まで挿入しやすく、また両足から簡単かつ素早く取り出すことができ、更にブーツ等の筒状部分が長く安定性の悪い靴においては倒れにくくして、消臭、除湿具の靴内部からの取り出しをスムーズに行ない得る靴用消臭、除湿具の提供。【解決手段】靴に収納して使用される靴用消臭、除湿具において、消臭剤及び除湿剤を封入した２個の通気性不織布製袋と、これら２個の上部を連結する連結具と、この連結具に装填される靴の挟持具とからなる靴用消臭、除湿具。【選択図】        図２
2004194696.tif 000002
【特許請求の範囲】
【請求項１】
靴に収納して使用される靴用消臭、除湿具において、消臭剤及び除湿剤を封入した２個の通気性不織布製袋と、これら２個の上部を連結する連結具と、この連結具に装填される靴の挟持具とからなることを特徴とする靴用消臭、除湿具。
【請求項２】
２個の通気性不織布製袋が、靴の形状に合わせて先細状の多角形に形成されたことを特徴とする請求項１に記載の靴用消臭、除湿具。
【請求項３】
連結具に装填される靴の挟持具が、クリップであることを特徴とする請求項１又は請求項２に記載の靴用消臭、除湿具。
【請求項４】
消臭剤及び除湿剤として、シリカゲル又は天然多孔石を用い、再生使用可能に構成したことを特徴とする請求項１ないし請求項３のいずれかに記載の靴用消臭、除湿具。
【請求項５】
ブーツ用であることを特徴とする請求項１ないし請求項４のいずれかに記載の靴用消臭、除湿具。
【発明の詳細な説明】
【０００１】
【発明の属する技術分野】
本発明は、靴に収納して使用される靴用消臭、除湿具に関するものである。
【０００２】
【従来の技術】
靴の内部、特に筒状部分の長いブーツ等の内部靴底部は、通気が悪いことから悪臭が発生しやすく、湿気がこもりやすいので、様々な消臭具や除湿具が提案されている。しかし、従来の消臭具や除湿具は、これらを靴内部のつま先まで入れる際に手で押し込む面倒を必要とし、また取り出す際には手を靴の中奥まで入れたり、あるいは靴を逆様にしなければならず、大変不便であった。また、筒状部分の長いブーツ等は安定性が悪く倒れやすいために消臭、除湿具を靴内部から取り出しにくいことが多かった。
【０００３】
【特許文献１】
実開昭４９−１３７７４２号公報
【特許文献２】
実開平６−３３４５号公報
【特許文献３】
実用新案登録第３０８０３０３号公報
【０００４】
【発明が解決しようとする課題】
本発明は、靴の内部に収納して使用される消臭、除湿具であって、つま先まで挿入しやすく、また両足から簡単かつ素早く取り出すことができ、更にブーツ等の筒状部分が長く安定性の悪い靴においては倒れにくくして、消臭、除湿具の靴内部からの取り出しをスムーズに行ない得る靴用消臭、除湿具を提供しようとするものである。
【０００５】
【課題を解決するための手段ならびに発明の実施の形態】
本発明者は上記課題を解決すべく鋭意検討した結果、消臭剤及び除湿剤を封入した２個の通気性不織布製袋と、これら２個の上部を連結する連結具と、この連結具に装填される靴の挟持具とからなる靴用消臭、除湿具が有用であることを見い出し本発明を達成するに至った。
【０００６】
本発明の靴用消臭、除湿具では、消臭剤及び除湿剤が２個の通気性不織布製袋に封入される。不織布製袋の形状は、先端部分を靴のつま先まで挿入しやすく、靴底に効率良く消臭、除湿具を収納できる構造であれば特に限定されないが、先細状の多角形、好ましくは３〜５角形が適当である。不織布の材質も通気性がよく強度的に問題がない限りいずれも使用でき、消臭剤及び除湿剤を封入後適宜の方法でシールされる。
【０００７】
本発明で用いられる消臭剤及び除湿剤としては、無機材質のものが使いやすく、例えば、シリカゲル、ゼオライトやトルマリン等の天然多孔石、活性炭、パーライト又はケイ酸ソーダがあげられる。天日に干すことにより再生可能で、繰り返し使用できる構成が望ましく、これらのなかでは、シリカゲル、特にＢ型シリカゲルが適している。粒径としては１〜５ｍｍ程度、また１個当たりの封入量としては使用目的や使用用途にもよるが１０〜１００ｇ程度が実用的である。
なお、通気性不織布製袋に再生時期の把握を容易にする為、温度、熱又は湿度によって色が変化する色素を付着させることもできる。
【０００８】
本発明では、消臭効果を強化する目的で、例えばナトリウムアルキルジアミノエチルグリシンのようなアミノ酸系両性界面活性剤を配合したり、抗菌・防カビ成分として５−クロロ−２−メチル−４−イソチアゾリン−３−オンや植物抽出物系消臭成分、あるいは安定剤、色素、芳香剤などを適宜添加しても構わない。かかる有機活性成分は、珪酸カルシウム（フローライト）、セルロース系ビーズ等から選ばれた多孔質状担体に含浸させ、上記消臭剤及び除湿剤と組み合わせて使用すればよい。
【０００９】
本発明の靴用消臭、除湿具には、２個の通気性不織布製袋の上部を連結する連結具が設けられる。素材としては、不織布、織物、プラスチック、金属等が挙げられ、形状は紐状、帯状、リボン状等いずれでもよく、長さも使用目的や使用用途に合わせ３０〜２００ｃｍの範囲で適宜選択することができる。また、連結具に、伸縮機能、巻取り式などの長さを調節する機能、あるいは暗闇においても認識可能な蛍光塗料等を備えるようにしてももちろん構わない。
【００１０】
本発明の靴用消臭、除湿具は、２個の通気性不織布製袋と前記連結具に加え、この連結具に靴を挟持するための挟持具を装填したことを特徴とする。挟持具としては、使用に際し開閉が容易で挟持力があり靴を傷つけないものであれば特に限定されないが、通常クリップと称されるものが使いやすい。
クリップの構造は、中折れ式、バネ式、磁石式など適宜採用することができ、一方、クリップの素材としては、プラスチックや金属の他、例えばエラストマーやゴム等の靴にやさしい柔らかな素材、あるいはコルクなどの木製のものなどがあげられる。
【００１１】
更に、クリップの使用性、例えば連結具への装填の簡便性、取り出しの容易さ、吊り下げて保管する際の利便性等を高めるために、クリップに穴又は切欠き部の一方もしくは両方を設けてもよいし、あるいは連結具にリング状、フック状の補助具を備えてもよい。
【００１２】
かかる構成の本発明の靴用消臭、除湿具は、靴のつま先まで挿入しやすく、靴の上部に突出している連結具を引張り上げることで両足から簡単かつ素早く抜き取ることができる。また、挟持具を装填しているので、特にブーツ等の筒状部分が長く安定性の悪い靴においては靴の上端を挟み倒れにくくして、消臭、除湿具の靴内部からの取り出しをスムーズに行ない得る。更に、使用後は吊り下げて保管できるうえ、天日干しによって消臭剤及び除湿剤を簡単に再生可能なので極めて実用的である。
【００１３】
【実施例】
本発明に係る靴用消臭、除湿具の実施例を図面に基づいて説明する。図１は一実施例の斜視図（部分）、図２はその平面図である。
なお、図中、１は通気性不織布製袋を、２は消臭剤及び除湿剤を、３は連結具としての不織布製の紐を示す。また、４は靴の挟持具としてのクリップである。
【００１４】
図３はその使用状態を示す図であり、また、図４は不織布製の紐３にクリップ４を装填し、クリップ４を靴用消臭、除湿具の吊り下げ保管用に用いた状態を示したものである。クリップ４には通し穴５が設けられている。
【００１５】
１辺７ｃｍのポリプロピレン製通気性不織布を用い先細五角形の袋を２個作成し、それぞれの不織布性袋１に、消臭剤及び除湿剤２［粒径２ｍｍのＢ型シリカゲル３６ｇ、ならびに５−クロロ−２−メチル−４−イソチアゾリン−３−オン０．１ｇとナトリウムアルキルジアミノエチルグリシン（アミノ酸系両性界面活性剤）０．２ｇを含浸させた粒径４ｍｍのケイ酸カルシウム４ｇの混合物］を封入した。２個の不織布性袋１の上部を長さが１１０ｃｍの不織布製の紐３で連結し、紐３の中央部にバネ式でプラスチック製のクリップ４を装填して本発明の靴用消臭、除湿具を得た。
２個の不織布性袋１を左右のブーツの中に収納し、ブーツの上端をクリップ４で挟んで使用したところ、長期にわたって除湿効果が得られるとともに、ブーツ特有のラク酸系の悪臭が感じられなかった。また、使用中ブーツが倒れにくく、ブーツから消臭、除湿具を取り出しやすかった。更に、天日干しで繰り返し使用できるというメリットがあった。
【００１６】
【試験例】
実施例に準じ、不織布製袋、連結具ならびに挟持具の形状や素材を変えて表１に示す各種靴用消臭、除湿具を作成した。なお、消臭剤、除湿剤は実施例と同様とした。ブーツを用いて使用性を評価した結果を併せて表１に示す。
評価：○……良
△……可
×……不可
【００１７】
【表１】
2004194696.tif 000003
【００１８】
表１の結果から、通気性不織布製袋を好ましくは先細形にし、２個の袋を紐やリボンで連結させ、更に挟持具としてのクリップを装填した本発明の靴用消臭、除湿具は、消臭、除湿具の靴内部への挿入、取り出しを簡便かつスムーズに行い得る。これに対し、比較例に示すように、不織布製袋として先細五角形のものを用い、連結具を備えてもクリップを装填しない場合は、ブーツの筒状部分の安定性が悪く、消臭、除湿具の取り出しが困難であった。
【００1９】
【発明の効果】
以上説明したように、本発明の靴用消臭、除湿具は、靴のつま先まで挿入しやすく、靴の上部に突出している連結具を引張り上げることで両足から簡単かつ素早く抜き取ることができる。また、挟持具を装填しているので、特にブーツ等の筒状部分が長く安定性の悪い靴においては靴の上端を挟み倒れにくくして、消臭、除湿具の靴内部からの取り出しをスムーズに行ない得る。更に、使用後は吊り下げて保管できるうえ、天日干しによって消臭剤及び除湿剤を簡単に再生可能なので極めて実用的である。特にブーツ用として有用性が高い。
【図面の簡単な説明】
【図１】本発明の靴用消臭、除湿具の一実施例の斜視図（部分）である。
【図２】その平面図である。
【図３】その使用状態を示す図である。
【図４】本発明の靴用消臭、除湿具を吊り下げて保管している状態を示す図である。
【符号の説明】
１    通気性不織布製袋
２    消臭剤及び除湿剤
３    不織布製の紐
４    クリップ
５    通し穴
【図１】
2004194696.tif 000004
【図２】
2004194696.tif 000005
【図３】
2004194696.tif 000006
【図４】
2004194696.tif 000007